(57)【要約】      （修正有）【課題】電話帳機能の起動後も、ユーザは画面表示内容より所望の発信先を探さなければならないことから生じる、使い勝手の悪さを解消する。【解決手段】電話番号とその電話番号に関連したキーワードとを対応させて記憶している電話帳データベースと、文字と数字を割り当てられているキーを有するキー入力部を備え、キーが押し下げられた場合、そのキーに割り当てられている文字を始まりとするキーワード又は読み仮名の１番目とするキーワードを前記電話帳データベースから読み出して表示すると共に、そのキーに割り当てられている数字をも表示し、いずれかを発信する旨の選択がされたとき、その電話番号へ発信し、キー入力部のキーの押し下げを繰り返すことにより、表示した数字に続けてキーに割り当てられた数字をさらに並べて表示し、並べた数字を電話番号として発信可能とするよう制御する。【選択図】  図１
2005268984.tif 000002
【特許請求の範囲】
【請求項１】
電話番号とその電話番号に関連したキーワードとを対応させて記憶している電話帳データベースと、
それぞれ、文字と数字を割り当てられているキーを有するキー入力部と、
前記キーが押し下げられた場合、前記キーに割り当てられている文字を始まりとするキーワード又は読み仮名の１番目とするキーワードを前記電話帳データベースから読み出して表示すると共に、前記キーに割り当てられている数字をも表示し、
前記表示したキーワードの中からいずれかを発信する旨の選択がされたとき、そのキーワードに対応した電話番号へ発信し、
前記キー入力部のキーの押し下げを繰り返すことにより、前記表示した数字に続けて前記キーに割り当てられた数字をさらに並べて表示し、その並べた数字が電話番号に該当するときには、発信する旨の選択がされたとき、発信可能とするよう制御することを特徴とする情報処理装置。
【請求項２】
前記キー入力部のキーには、それぞれ、数字と複数の文字が割り当てられており、
前記制御部は、前記キーが押し下げられた場合、前記キーに割り当てられている文字を始まりとするキーワード又は読み仮名の１番目とするキーワードを前記電話帳データベースから読み出して表示すると共に、前記キーに割り当てられている数字をも表示し、
さらに、前記キー入力部のキーが押し下げられた場合、前記キーワードの中から、前記キーに割り当てられている複数の文字のいずれかを２番目とするキーワード又は読み仮名の２番目とするキーワードに絞り込んで表示すると共に、前記表示した数字と前記キーに割り当てられた数字を並べて表示するよう制御することを特徴とする請求項１に記載の情報処理装置。
【請求項３】
前記情報処理装置は、携帯端末であることを特徴とする請求項１又は２に記載の情報処理装置。
【請求項４】
電話番号の先頭につくべき数字を格納する接頭番号リストを備え、
前記制御部は、前記並べた数字の先頭が前記接頭番号リストに格納された数字と一致しない場合、発信候補として表示しないことを特長とする請求項１乃至３のいずれかに記載の情報処理装置。
【請求項５】
電話番号の有効桁数を格納する有効桁数リストを備え、
前記制御部は、前記並べた数字の桁数が前記有効桁数リストに格納された有効桁数と一致しない場合、発信候補として表示しないことを特徴とする請求項１乃至３のいずれかに記載の情報処理装置。
【請求項６】
電話番号の先頭につくべき数字を格納する接頭番号リストと、
電話番号の有効桁数を格納する有効桁数リストと、
前記接頭番号リストに格納された数字を先頭にせず、かつ、前記有効桁数リストに格納された有効桁数ではなくとも、発信可能な特殊な電話番号を格納する特殊番号リストを備え、
前記制御部は、前記並べた数字が前記特殊番号リストに格納された電話番号と一致する場合、発信候補として表示することを特徴とする請求項１乃至３のいずれかに記載の情報処理装置。
【請求項７】
前記キー入力部は、数字を割り当てられておらず、文字を割り当てられている文字キーを有し、
前記制御部は、前記文字キーが押し下げられた場合、前記並べた数字を発信候補として表示しないことを特徴とする請求項１乃至３のいずれかに記載の情報処理装置。
【請求項８】
電話番号とその電話番号に関連したキーワードとを対応させて記憶している電話帳データベースと、
数字とアルファベットが表面に示されているキーを有するキー入力部と、
前記キー入力部のキーに示された数字とは関係なく、示されているアルファベットに応じた数字を電話番号の一部とするよう変換するアルファベット形式番号変換キーと、
前記キー入力部のキーが押し下げられた場合、前記キーに示されているアルファベットを始まりとするキーワード又は読み仮名の１番目とするキーワードを前記電話帳データベースから読み出して表示すると共に、前記キーに示されている数字をも表示し、
前記キー入力部のキーの押し下げを繰り返すことにより、前記表示した数字に続けて前記キーに示された数字をさらに並べて表示し、
前記アルファベット形式番号変換キーが押し下げられた場合、前記キー入力部のキーが押されたとき、前記キーに示されたアルファベットに応じた数字を電話番号の一部とするよう制御する制御部と、を有することを特徴とする情報処理装置。
【請求項９】
制御部と、電話番号とその電話番号に関連したキーワードとを対応させて記憶している電話帳データベースと、それぞれ文字と数字を割り当てられているキーを有するキー入力部と、表示部と、を備える情報処理装置に、
前記制御部が、
前記キーが押し下げられた場合、前記キーに割り当てられている文字を１番目とするキーワード又は読み仮名の１番目とするキーワードを前記電話帳データベースから読み出して表示すると共に、前記キーに割り当てられている数字をも、前記表示部に表示する手順と、
前記表示したキーワードの中からいずれかを発信する旨の選択がされたとき、そのキーワードに対応した電話番号に発信する手順と、
前記キー入力部のキーの押し下げを繰り返すことにより、前記表示した数字に続けて前記キーに割り当てられた数字をさらに並べて前記表示部に表示し、その並べた数字が電話番号に該当するときには、発信する旨の選択がされたとき、発信可能とする手順と、
を実行させることを特徴とするソフトウェア。
【発明の詳細な説明】
【技術分野】
【０００１】
本発明は、電話番号に発信を行う情報処理装置及びソフトウェアに関する。
【背景技術】
【０００２】
従来、「ユーザが手間取らずに簡単な操作で電話帳の検索を行える電話機の提供を目的」とし、「所定時間以上のキー押下が受け付けられたとき、そのキーに割り当てられている文字を含む名称を前記記憶部１８より検索し、検索された名称を表示部２０に表示する」ことを記載した特許文献がある（特許文献１の要約）。
【０００３】
【特許文献１】特開平１１−１６３９９９号公報
【発明の開示】
【発明が解決しようとする課題】
【０００４】
しかしながら、上記特許文献１では、待受け画面より電話帳の検索を行うためには、所定時間以上キー押し下げを行う必要がある。また、電話帳の検索を行っている場合、電話番号を入力することによる電話発信を行うことができない。また、電話番号の入力による発信を行っている場合には電話帳の検索ができない。
【０００５】
そこで、本願発明の目的は、上記問題を解決し、使い勝手を向上した情報処理装置及びソフトウェアを提供することである。
【課題を解決するための手段】
【０００６】
上記目的を達成するため、本願発明の情報処理装置及びソフトウェアは、電話番号とその電話番号に関連したキーワードとを対応させて記憶している電話帳データベースと、それぞれ、文字と数字を割り当てられているキーを有するキー入力部と、キーが押し下げられた場合、そのキーに割り当てられている文字を始まりとするキーワード又は読み仮名の１番目とするキーワードを前記電話帳データベースから読み出して表示すると共に、そのキーに割り当てられている数字をも表示し、表示したキーワードの中からいずれかを発信する旨の選択がされたとき、そのキーワードに対応した電話番号へ発信し、キー入力部のキーの押し下げを繰り返すことにより、表示した数字に続けてキーに割り当てられた数字をさらに並べて表示し、その並べた数字が電話番号に該当するときには、発信する旨の選択がされたとき、発信可能とするよう制御する。
【０００７】
このようにすることにより、電話番号の入力による発信と電話帳を用いた発信を区別なく行うことができる。
【０００８】
なお、キーワードは、名前、略称、愛称、ネックネームなどである。
【発明の効果】
【０００９】
本発明によれば、電話番号への発信を容易にし、使い勝手を向上した情報処理装置及びソフトウェアを提供することができる。
【発明を実施するための最良の形態】
【００１０】
以下、本発明の実施の形態について図面を用いて説明する。図面において同一の構成部には同一の符号を用いる。
【実施例１】
【００１１】
図１は、携帯端末の第１の実施例を示すブロック図である。システムプロセッサ１０１は、ＣＰＵ、プログラムを格納しているＲＯＭ、プログラムを実行する際に必要なデータを格納するＲＡＭを有し、後述する各機能手段の実現や各装置の実現や各装置の制御を行う。通信部１０２は基地局と通信を行う。入力部１０３はユーザからの指示を入力するものであり、キーボード、カーソルキー、その他各種ボタンなどで構成されている。表示部１０４は各機能手段の実行結果や各種設定画面の表示を行う。記憶部１０５は電話帳データベース１０６などユーザデータを記憶しており、電話帳データベース１０６は電話番号とその電話番号の所有者の名前を対応付けているデータベースである。
【００１２】
接頭番号リスト１０７、電話番号有効桁数リスト１０８及び特殊番号リスト１０９も図示しているが、この実施例では必須の構成ではないため、説明を省略する。
【００１３】
図１の破線部内は、システムプロセッサ内に存在する各手段を表している。番号発信手段１１０はユーザが入力した数字を記憶しておき、ユーザの発信指示を受けた時点でこれまで記憶しておいた数字列を電話番号とし、それに対する発信を、通信部１０２によって行う手段である。
【００１４】
キーワード発信手段１１１はユーザが入力した文字を記憶しておき、現在記憶している文字列を先頭に持つ名前を電話帳データベース１０６より検索した結果を候補として保持している。ユーザがこれら候補のうち所望の名前を選択し発信指示を行うと、選択された名前をキーに電話番号を電話帳データベース１０６より検索し、その電話番号に対して通信部１０２を用いて発信する。
【００１５】
入力文字選択手段１１２は入力部１０３より入力されたキー情報より、適切な数字及び文字を選び番号発信手段１１０、及びキーワード発信手段１１１に対して文字コードの入力を行う。詳細は具体例と共に後述する。
【００１６】
発信候補表示手段１１３は番号発信手段１１０に保持している数字列情報の表示、及びキーワード発信手段１１１に保持している発信先候補の表示を表示部１０４により行う。これも詳細は具体例と共に後述する。
【００１７】
次に、本実施例における全体的な処理フローを、具体例を用いて述べる。
【００１８】
図２は本実施例において、入力部１０３として装備しているキーボードである。スクロール操作のためのカーソルキー、通話の開始、通話の終了のための機能キー（Talk, End）、数字や文字を入力するための数字文字キー及び特殊キー（＃,＊）などが配置されている。図２における各数字文字キーには、数字と文字が表示されているが、これは表示されている数字と、文字として表記されているひらがなの「行」の文字がすべて割り当てられていることを表している。例えば数字「１」が割り当てられているキーには、文字として「あ、い、う、え、お」が割り当てられている。また数字「２」が割り当てられているキーには、文字として、「か、き、く、け、こ」及び濁音の「が、ぎ、ぐ、げ、ご」が割り当てられている。
【００１９】
濁音及び半濁音の扱いは上記の限りではなく、特定のキー、例えば「＊」が割り当てられているキーを、濁音及び半濁音の指示キーをして考え、数字キーの後にこのキーが押下された場合、入力文字は数字キーに割り当てられている文字の濁音及び半濁音とする構成もとることができる。この場合、一度に表示しなければならないキーワードを減らすことができ、表示画面の小さい携帯端末に好適である。
【００２０】
図３は本実施例にて説明の便宜を図るために使用する、電話帳データベース１０６の内容を示している。それぞれ電話番号に氏名と読み仮名がキーワードとして登録されている。図４は本実施例における、ユーザ入力に応じた発信候補表示遷移の画面例を表している。
【００２１】
一般的な携帯電話は、電源立ち上げ時及び一定時間入力が無かった場合に表示する、初期画面を有しており、これは一般的に待ち受け画面と称されている。Ｓ４０１はその一例である。本発明における入力文字選択手段１１２は本初期状態画面が表示されることと同期して、入力部１０３からの入力の待機を開始する。
【００２２】
ここでユーザが入力部１０３より、数字「６」が割り当てられているキーを入力したとする。入力文字選択手段１１２は入力指示を受け、番号発信手段１１０には「６」を、キーワード発信手段１１１には「６、は、ひ、ふ、へ、ほ、ば、び、ぶ、べ、ぼ、ぱ、ぴ、ぷ、ぺ、ぽ」を入力する。
【００２３】
番号発信手段１１０は入力文字選択手段１１２からの入力を受け、発信候補表示手段１１３に数字列「６」の表示を指示すると共に、発信候補としてこの数字列を保持しておく。
【００２４】
また、キーワード発信手段１１１は入力文字選択手段１１２からの入力を受け、電話帳データベース１０６内で読みが「６、は、ひ、ふ、へ、ほ、ば、び、ぶ、べ、ぼ、ぱ、ぴ、ぷ、ぺ、ぽ」から開始されるものを検索し、該当する候補を発信候補として、発信候補表示手段１１３に表示指示を行うと共に、発信候補を保持しておく。Ｓ４０２は発信候補表示手段１１３による表示部１０４への表示結果である。キーワード発信手段１１１による候補である「畠山二郎、畑常雄、日立太朗、古川三郎」と番号発信手段１１０の候補である「６」が同時に表示されている。
【００２５】
Ｓ４０３は引き続きこれに、数字「４」が割り当てられているキーを入力したときの発信候補表示手段１１３による表示部１０４への表示結果である。このとき入力文字選択手段１１２は、番号発信手段１１０には「４」を、キーワード発信手段１１１には「４、た、ち、つ、て、と、だ、ぢ、づ、で、ど」を入力する。
【００２６】
番号発信手段１１０は発信候補表示手段１１３に保持してあった数字列に今回入力された数字を加えた数字列「６４」を表示指示すると共に、これを発信候補として保持しておく。
【００２７】
また、キーワード発信手段１１１は保持してある発信候補うち読み仮名の２文字目が「４、た、ち、つ、て、と、だ、ぢ、づ、で、ど」のものを検索し該当する「畠山二郎、畑常雄、日立太朗」を候補として表示指示すると同時に、これを保持する。
【００２８】
Ｓ４０４はこれに、数字「４」が割り当てられているキーが入力された場合において、各手段が同様に処理を行った表示結果である。番号発信手段１１０によるこれまで入力された数字列表示と、キーワード発信手段１１１が前回までの選択候補のなかから３文字目が、タ行あるいはダ行である候補を検索した結果を表示している。
【００２９】
Ｓ４０５はさらに数字「４」が割り当てられているキーが入力され、キーワード発信手段１１１による候補が、４文字目がタ行あるいはダ行である「日立太朗」に絞り込まれ、番号発信手段１１０による候補である「６４４４」と同時に表示されている状態である。
Ｓ４０６は、キーワード発信手段１１１による候補が一つに絞り込まれたため、ユーザによるカーソルキーによる発信候補選択が行われた状態である。ユーザは、カーソルキーにより反転表示を移動させて発信先を選択し、入力部１０３の機能キー（Talk）を入力することで所望の発信先への発信操作が行われる。このＳ４０６にて示される、ユーザによる選択手段は、この状態に限らず、候補が複数存在する状態で、ユーザからのカーソルキー入力が行われた場合においても動作する。
【実施例２】
【００３０】
しかし、上記実施例１はキー入力によりキーワード発信手段１１１による候補が一つにまで絞り込まれたとしても、番号発信手段１１０による候補が存在するため、最後の段階で、ユーザによるカーソルキーでの選択が必要となる場合が多く、入力操作の一貫性の面で若干難がある。そこでこれを解決するための実施例を以下３例述べる。
【００３１】
最初に、接頭番号リストを、装置にさらに搭載することにより解決を図る例を第２の実施例として述べる。
【００３２】
第２の実施例では、第１の実施例に対し、図１における記憶部１０５内に接頭番号リスト１０７を加えた構成となる。また、この実施例においても電話番号有効桁数リスト１０８及び特殊番号リスト１０９は必須の構成ではないため、説明を省略する。
【００３３】
図６は接頭番号リストの例である。これは電話番号として一桁目として先頭に付与されるべき番号をすべて格納している。例えば日本国内での電話番号は一桁目が必ず０で始まることとなっており、これに通信事業者が各種サービスに使用するために用意する番号の一桁目を統一することにより接頭番号リスト１０７を規定することが出来る。本例では接頭番号リストに０と１とが存在している例を述べる。
【００３４】
図７は、前記実施例１と同一の入力部１０３と電話帳データベース１０６の内容を有した装置に対し、前記実施例１と同一の入力をユーザが行った場合の発信先候補表示手段１１３による表示の流れである。S７０１は待ち受け画面、Ｓ７０２は待ち受け画面よりユーザが数字の「６」が割り当てられているキーを押下した場合の、発信先候補表示手段１１３の内容であるが、前記実施例１でのＳ４０２に対し、番号発信手段１１０による候補が表示されていない点で異なっている。これは実施例１と同様に入力文字選択手段１１２より入力「６」を一桁目の入力として受け取った番号発信手段１１０が、候補として数字を登録する前にまず、入力された数字が接頭番号リスト１０７に存在しているかの確認を行う。本例では「６」は接頭番号リスト１０７に存在していないため、番号発信手段１１０からの候補としての数字列の出力を行わない。なお、ここでは、候補としての数字列の出力を行っていないだけで、表示画面上に数字列を表示するようにしているが、表示すらしないよう制御しても良い。携帯電話のように小さい画面の場合、表示すべきものを減らすことができ有効である。
【００３５】
以上の手段を具備することにより、以下各手段は実施例１における動作と同様の動作を行うことで、最終的に発信先候補表示手段１１３にて表示される候補は、キーワード発信手段１１１による候補「日立太郎」だけになり（Ｓ７０５）、ユーザの発信指示により所望の発信先に発信することができる。
【実施例３】
【００３６】
しかし実施例２でも、最終的に使用者によるカーソルキーでの選択が必要となってしまう場合が存在する。その場合の発信先候補表示手段１１３による候補出力の流れを図８に示す。
【００３７】
本例において仮にユーザが「池田二郎」というキーワードを持つ発信先に発信しようとしているとする。ユーザは所望の発信先を選択するために、「１」「２」「４」「３」と入力してキーワード発信手段による候補を一つに絞り込んだとしても（Ｓ８０５）、番号発信手段１１０に対する一桁目の入力「１」が接頭番号リスト１０７に存在しているため、最終的にユーザによるカーソルキー選択が必要な結果となってしまう。
【００３８】
そこで更なる解決策として、装置に電話番号有効桁数リストをさらに搭載する例を第３の実施例として述べる。
【００３９】
第３の実施例では、第１の実施例に対し、図１における記憶部１０５内に接頭番号リスト１０７及び電話番号有効桁数リスト１０８を加えた構成となる。また、この実施例において特殊番号リスト１０９は必須の構成ではないため、説明を省略する。
【００４０】
図１０は電話番号有効桁数リスト１０８の例である。一般的に電話番号に使用される桁数はその発信先に応じて数種類に統一されている。例えば日本国内では通常の固定電話の電話番号は９桁あるいは１０桁に限定され、携帯電話の電話番号は１１桁に限定されている。これに非常用電話の３桁を加え、さらに通信事業者のサービス用に使用する番号の桁数を固定することで、電話番号有効桁数リスト１０８を構成することが可能となる。本例では図１０に示すように３、９、１０、１１桁が電話番号有効桁数リスト１０８に存在するとする。
【００４１】
図１１は図８にて示した例に対して、本発明を適用した例である。本例において、番号発信手段１１０以外の各手段は実施例１および２と同様の動作を行う。本例における番号発信手段１１０は、入力文字選択手段１１２からの入力があると、入力結果による発信候補の桁数が電話番号有効桁数リスト１０８内に存在するかをチェックする。ここで存在しない場合、発信候補表示手段１１３への表示指示を行わない。図１１における、Ｓ１１０２、Ｓ１１０３はそれぞれ桁数が、１桁、２桁である為、発信候補として表示されないが、入力桁数が３桁となるＳ１１０４では番号「１２４」が発信候補として表示される。しかし、さらに「３」が入力されると（Ｓ１１０５）入力は４桁となり、電話番号有効桁数リストに該当しなくなり、Ｓ１１０５におけるキーワード発信手段１１１による候補がひとつに絞り込まれた時点で、ユーザが発信指示を行うことにより、所望の発信先に発信することができる。
【００４２】
なお、接頭番号リスト１０７を有さず、電話番号有効桁数リスト１０８を有するような構成であっても良い。この場合、構成を簡易にでき、システムの負荷を軽減でき記憶部の記憶容量も軽減できる。
【実施例４】
【００４３】
しかし、前期実施例３でも最終的にユーザにカーソルキーによる選択入力が必要となってしまう場合がある。前期実施例３の構成にて、使用者が「明石太郎」に発信を試みた場合の例を図１２に示す。
【００４４】
本例においてユーザは所望の発信先を選択すべく、キー「１」「２」「３」と入力しているが、これら入力終了後、候補としてＳ１２０４のようにキーワード発信手段１１１による候補「明石太郎」とともに、番号発信手段１１０による候補「１２３」が存在している。これは番号発信手段１１０による電話番号有効桁数リスト１０８の確認の結果、現在の入力桁数３桁が有効桁数であると判定された結果である。
【００４５】
ここで、本問題に対する更なる改善策として、特殊番号リスト１０９をさらに搭載した装置を第４の実施例として述べる。
【００４６】
実施例３に対し、記憶部１０５内にさらに特殊番号リスト１０９を加えた構成となる。
【００４７】
図１４に特殊番号リスト１０９の例を示す。特殊番号リスト１０９には緊急用に使用する電話番号（日本でいう「１１０番」および「１１９番」）および通信事業者がユーザへのサービス用の番号として少ない桁数の番号で提供する番号を一覧として有する。
【００４８】
これを、前記図１２の例に適用する場合、まず電話番号有効桁数リスト１０８より本例における特殊番号の桁数である、「３桁」を削除しておく。これにより本例での電話番号有効桁数は９、１０、１１桁となっている。
【００４９】
図１５は前記図１２の例において、本発明を適用した場合における発信候補表示の流れである。本例における番号発信手段１１０は入力文字選択手段１１２からの番号入力の度、最初に電話番号有効桁数リスト１０８を参照し、現在の桁数が電話番号として有効であるかチェックする。ここでリストに存在する場合、さらに、現在内部に保持してある番号が特殊番号リスト１０９に存在しているかを確認し、存在している場合は発信候補表示手段１１３に発信先候補として渡し、存在していない場合は発信候補としない。これにより、Ｓ１５０４のようにキーワード発信手段１１１による候補「明石太郎」のみに絞り込むことができる。
【００５０】
また、上記の例では番号発信手段１１０が特殊番号リスト１０９を検索する頻度が多くなってしまうことが懸念される。処理の簡略化のため、特殊番号リスト１０９の内部あるいは別に特殊番号として登録されている番号の桁数を保持し、特殊番号リスト１０９を確認する前に、まず桁数による確認を最初に行うことにより、処理ステップを低減することを図る構成をとることもできる。
【００５１】
また、特殊番号リスト１０９内には緊急用電話番号が含まれている。緊急用電話番号はその用途上、最小ステップでの番号入力のみで発信できるようにする必要があるため、発信先候補表示手段１１３による候補の表示は番号発信手段１１０による候補を最上部に表示し、表示初期状態において、あらかじめ選択状態にしておくのがよい。
【００５２】
携帯端末はその製品特性上、表示部１０４に表示可能な行数が限られてしまう。このような装置に対し本発明を適用した場合、電話帳データベース１０６の内容によっては、キーワード発信手段１１１による発信候補をすべて表示した場合、表示可能な行数を上回ってしまい、発信候補全体をユーザが見る為には、カーソルキー入力による画面スクロールが必要となってしまう。
このとき図１６のごとく、発信候補表示手段１１３が表示部１０４にキーワード発信手段１１１による発信候補を表示する際、候補の数が一画面で表示できる桁数を超えているかどうかを判定し、超えている場合は候補の件数を表示するようにする。キー入力による検索を行っている場合、検索結果が多いうちは候補の絞込み状況をユーザに一目で認識させることが可能となり、ユーザの使い勝手向上を図ることができる。
【００５３】
なお、接頭番号リスト１０７や電話番号有効桁数リスト１０８を有さず、特殊番号リスト１０９を有するような構成であっても良い。この場合、構成を簡易にでき、システムの負荷を軽減でき記憶部の記憶容量も軽減できる。
【実施例５】
【００５４】
次に、入力部１０３として、図１７の構成を持つキーボードを有している装置に対し、本発明を適用した例を、第５の実施例として述べる。図１７のキーボードは、文字入力での操作性向上を目指し、アルファベットがすべて配置できる数のキーを有しているが、省スペースを目指すため、文字キーと同一キーに数字キーを割り当てている（図内破線枠部キー）構成をとる。また、本例では電話帳データベース１０６内に図１８の内容が格納されていることとする。
【００５５】
本実施例での装置構成は図１と同一の構成を持つ。但し、入力文字選択手段１１２にはこれまでに加え、入力部から入力されたキーに数字が割り当てられなかった場合、以降の番号発信手段１１０に対する入力を行わない機能を新たに有する。
【００５６】
以下、本実施例における動作の流れについて、図１９を用いて説明する。本例ではユーザがキーワード「Julian」を持つ電話番号に対して発信を試みることとする。
【００５７】
最初にユーザが入力部１０３より、文字「Ｊ」が割り当てられているキーを入力したとする。入力文字選択手段１１２は入力指示を受け、番号発信手段１１０にはそのキーに割り当てられている数字である「５」を、キーワード発信手段１１１には「５、ｊ」を入力する。
【００５８】
番号発信手段１１０は入力を受け、発信候補表示手段１１３に数字列「５」の表示を指示すると共に、発信候補としてこの数字列を保持しておく。
【００５９】
また、キーワード発信手段１１１は入力文字選択手段１１２からの入力を受け、電話帳データベース１０６内で、「６、ｊ」から開始されるキーワードを検索し、該当する候補を発信候補として、発信候補表示手段１１３に表示指示を行うと共に、発信候補を保持しておく。Ｓ１９０２は発信候補表示手段１１３による表示部１０４への表示結果である。番号発信手段１１０の候補である「５」とキーワード発信手段１１１による候補である、「James, Jeff, Jim, Jimmy, Julian, Justin」が同時に表示されている。
【００６０】
Ｓ１９０３は引き続きこれに、文字「Ｕ」が割り当てられているキーを入力した場合の候補の変化を示す。
【００６１】
番号発信手段１１０は入力文字選択手段１１２からの入力「２」を加えた数列「５２」を候補として表示している。また同時にキーワード発信手段１１１からの候補「Justin, Julian」を表示している。
【００６２】
Ｓ１９０４はさらに、文字「Ｌ」が割り当てられているキーを入力した場合である。
【００６３】
ここで、文字「Ｌ」が割り当てられているキーには数字割り当てが存在しない為、入力文字選択手段１１２は番号発信手段１１０に対し、これまで保持していた候補の破棄を指示する。一方キーワード発信手段１１１にはこれまでと同様に文字「Ｌ」を入力した結果、発信候補表示手段１１３に対し表示指示が行われるのはキーワード発信手段１１１による候補「Julian」のみとなり、ユーザが所望の発信先へ発信することが可能となる。
【実施例６】
【００６４】
最後に、装置にアルファベット形式番号発信手段を持たせることにより、さらなる入力効率の向上を図る例を述べる。
【００６５】
図２０は本発明による携帯端末の第６の実施例を示すブロック図である。これは実施例１にて述べた装置に新たにアルファベット形式番号発信手段１１４を追加した構成となる。
【００６６】
アルファベット形式番号発信手段１１４は、米国では一般的に用いられている電話番号のアルファベット表示に対応した手段である。これは企業などが顧客用に公開する電話番号をユーザが記憶しやすくする為などの理由で、一般的な電話機の番号キーに刻印されているアルファベットにより表示を行い、ユーザは当該アルファベットが刻印されているキーを押すことにより所望の電話番号に発信することができるものである。
【００６７】
しかし、図１７に示す構成を持つキーボードの場合、アルファベットの刻印場所が一般的な電話機（図５）と異なるため、使用者はアルファベットを自ら数字に変換してからダイアルするといった煩雑な作業が発生してしまう。アルファベット形式番号発信手段１１４は、このアルファベットから数字に変換する作業を変わって行うことにより、ユーザの利便性向上を図る。
【００６８】
図１３は本発明を適用した装置を用いて、ユーザが電話番号「１８００−ＨＩＴＡＣＨＩ」に発信する場合の画面の遷移を示した図である。
【００６９】
まずユーザは図１７に示すキーボードから「１８００」を入力する為に入力部１０３より、キー「Ｙ」「Ｎ」「，」「，」の順で入力する。（Ｓ２１０１〜Ｓ２１０４）この間の装置内各手段はこれまで述べた内容と同様の動作を行う。次にユーザからハイフン（−）を入力するため「Ｆ」キーが押されると、入力文字選択手段１１２はこれをきっかけに、アルファベット形式番号発信手段１１４を起動する。アルファベット形式番号発信手段１１４は起動するとまず、番号発信手段１１０内に格納されている発信候補「１８００」を取得し、その数列に「−（ハイフン）」を付加したものを発信候補として発信候補表示手段１１３に対し表示指示を行い、それと同時に内部に保持する（Ｓ２１０５）。
【００７０】
次にユーザによって文字「Ｈ」が割り当てられているキーが入力されると、入力文字選択手段１１２はアルファベット形式番号発信手段１１４に対し文字「Ｈ」を入力する。これを受信したアルファベット形式番号発信手段は図９に示す変換テーブルを参照することで、アルファベットを数字に変換し、発信候補として内部に保持する。また、発信候補表示手段１１３に対しては、これまで表示していた候補の末尾に入力文字を加えたものを発信候補として表示指示する。Ｓ２１０６での結果としては発信候補として「１８００４」を内部に保持し、文字列「１８００−Ｈ」を表示指示する。
【００７１】
以降、ユーザ入力に応じて同様の動作をＳ２１０７からＳ２１１２まで行うことで、最終的にアルファベット形式番号発信手段１１４は発信候補として「１８００−ＨＩＴＡＣＨＩ」を表示し、ユーザからの発信指示によりこれを電話番号に変換した結果である「１８００４４８２２４４」に対して発信を行うことになる。
【００７２】
以上の実施例では、情報処理装置の一例として携帯端末である携帯電話をあげたが、パーソナルコンピュータであっても良い。ただし、携帯端末の方が、より多くの文字を１つのキーに割り当てなければいけないので、実施例の効果は大きい。
【００７３】
また、文字の種類が異なっていても、モードを変えることなく、検索を行うことができるので、使い勝手が向上する。
【００７４】
また、ソフトウェアを情報処理装置に入力することにより、実施例を適用できるようにしても良い。新たに情報処理装置を購入する必要がなく費用の削減となる。
【００７５】
また、発信可能な領域の表示順として、実施例では、数字例である電話番号を最初に表示しているがこれに限らない。通常、電話番号を発信するためには、電話番号が８桁〜１０桁であり、その分キー操作により入力が必要となってしまう。従って、７桁までは電話番号として発信することは通常ないため、キーワードを先に表示し、発信可能領域の最後に数字列である電話電話番号を表示する。このようにすることで、少しでも早く希望の発信先へ発信が可能となる。ただし、少ない桁数でも１１０などの緊急連絡が必要なものについては、最初に表示し、緊急の連絡をできるようにした方が好適である。
【図面の簡単な説明】
【００７６】
【図１】実施例の構成ブロック図
【図２】キーボードの構成例１
【図３】電話帳データベースの構成例１
【図４】実施例１の動作例
【図５】一般的キーボードの例
【図６】接頭番号リストの構成例
【図７】実施例２の動作例１
【図８】実施例２の動作例２
【図９】変換テーブルの構成例
【図１０】有効桁数リストの構成例
【図１１】実施例３の動作例１
【図１２】実施例３の動作例２
【図１３】実施例６の動作例
【図１４】特殊番号リストの構成例
【図１５】実施例４の動作例
【図１６】発信候補件数表示例
【図１７】キーボードの構成例２
【図１８】電話帳データベースの構成例２
【図１９】実施例５の動作例
【図２０】実施例６の構成ブロック図
【符号の説明】
【００７７】
１０１：システムプロセッサ
１０２：通信部
１０３：入力部
１０４：表示部
１０５：記憶部
１０６：電話帳データベース
１０７：接頭番号リスト
１０８：電話番号有効桁数リスト
１０９：特殊番号リスト
１１０：番号発信手段
１１１：キーワード発信手段
１１２：入力文字選択手段
１１３：発信候補表示手段
１１４：アルファベット形式番号発信手段
【図１】
2005268984.tif 000003
【図２】
2005268984.tif 000004
【図３】
2005268984.tif 000005
【図４】
2005268984.tif 000006
【図５】
2005268984.tif 000007
【図６】
2005268984.tif 000008
【図７】
2005268984.tif 000009
【図８】
2005268984.tif 000010
【図９】
2005268984.tif 000011
【図１０】
2005268984.tif 000012
【図１１】
2005268984.tif 000013
【図１２】
2005268984.tif 000014
【図１３】
2005268984.tif 000015
【図１４】
2005268984.tif 000016
【図１５】
2005268984.tif 000017
【図１６】
2005268984.tif 000018
【図１７】
2005268984.tif 000019
【図１８】
2005268984.tif 000020
【図１９】
2005268984.tif 000021
【図２０】
2005268984.tif 000022